(57)【要約】【課題】  近年、ＧＰＳを用いて位置情報を取得し、様々なサービスの提供が始まっているが、ＧＰＳではその誤差が１０メートル程度になる場合もあるほか、位置情報を不正に外部者に取得される可能性があり、この位置情報を用いた会社内、遊園地内、迎賓館セキュリティなどのサービスに利用できなかった。【解決手段】  本発明では、非接触型ＩＣカードの通信機能を利用し、特定領域内での位置情報を取得する。ＩＣカード認識装置とＩＣカード間の通信距離とＩＣカード認識装置の配置を制御することで、特定の領域内でのＩＣカード保持者の正確な位置情報を把握すると共に、その位置情報を外部からアクセスできないという利点がある。  更に、正確に取得できる位置情報と、ＩＣカードの持つ情報保持および情報処理機能とを組み合わせることによって、会社内における入出管理のほかコンピュータシステムの利用セキュリティや、遊園地の来園者管理、ＶＩＰの警備システムなどを実現することを目的とする。【選択図】        図１
2006228175.tif 000002
【特許請求の範囲】
【請求項１】
特定の周波数と電波強度のもとで情報の受信および送信の通信を行うことのできる非接触通信手段と、
非接触通信手段にて受信した情報や、あらかじめ記憶させようとする情報を記憶できる情報記憶手段と、
非接触通信手段で受信した情報を解読できる情報解読手段と、
情報解読手段で解読した情報に制御命令が含まれていた場合、情報記憶手段で記憶している情報と受信情報とを活用し照合や、処理、送信などの制御を実行できる情報処理手段を
有することを特徴とするＩＣカードシステム
【請求項２】
上記ＩＣカードシステムに加え、情報表示手段を有することで、情報処理手段で制御した結果を、ＩＣカード上に表示することを可能とし、
ＩＣカード保有者に情報を提示できることを特徴とする表示機能付ＩＣカードシステム。
【請求項３】
請求項１および請求項２に示すＩＣカードシステムとの情報送信や、情報受信などの通信ができることを特徴するＩＣカード認識装置と、
複数のＩＣカード認識装置間を接続する認識装置間ネットワークと、
認識装置間ネットワークに接続された個々のＩＣカード認識装置に対して、特定のＩＣカードシステムに対して照合や、処理、通信などの制御を実行させる指令を出すことができる制御サーバを有し、
認識装置間ネットワーク全体を制御することを可能とする認識装置制御システム。
【請求項４】
特定の施設内などの固有の特定領域において、
請求項１または請求項２に示すＩＣカードシステムを特定領域に入る人に持たせると共に、
請求項３に示す認識装置制御システム中のＩＣカード認識装置を特定領域内にメッシュ上に配置することで、
ＩＣカードシステムを社員の現存位置を認識装置制御システムで認識できることを特徴とする領域内における人員位置取得システム。
【請求項５】
個別の会社や役所などの特定領域において、
請求項１または請求項２に示すＩＣカードシステムを特定領域に入る社員に持たせると共に、
請求項３に示す認識装置制御システム中のＩＣカード認識装置を各部屋やゲートなどに設けることで、個々の社員が立ち入ることのできる領域を特定させると共に、
請求項３に示す認識装置制御システム中のＩＣカード認識装置をコンピュータなどの設備に設けることで、個々の社員がアクセスできる情報を制御すると共に
請求項４に示す特定領域内の人員位置取得システムを活用することで、特定領域内で社員の現在の位置情報をつかむことができることで
社員などの人員管理を行えることを特徴とする会社などにおける非接触ＩＣカードを用いた施設アクセス自動管理システム。
【請求項６】
遊園地などにおいて、
請求項１または請求項２に示すＩＣカードシステムを遊園地への来場者に持たせると共に、
請求項３に示す認識装置制御システム中のＩＣカード認識装置を各設備のゲート付近に配置することで、来場者の利用できる設備か否かを自動で判別するサービスを提供できると共に、
請求項４に示す特定領域内の人員位置取得システムを活用することで、迷子が出た場合、迷子になった子供の位置を取得し、素早く探し出せるサービスを提供できると共に
ＩＣカードシステム中に身体障害者やＶＩＰ顧客であるという情報を入園時に登録しておけば、当該来園者が設備利用時に事前に特定サービスを受けられるように係員への指令を素早く伝達することが可能となる
遊園地内における非接触ＩＣカードを用いた施設アクセス自動管理システム。
【請求項７】
ＶＩＰの警備などを行う必要のある迎賓館などにおいて、
請求項１または請求項２に示すＩＣカードシステムを迎賓館内へ来場したＶＩＰの人に持たせると共に、
請求項４に示す特定領域内の人員位置取得システムを活用することで、守るべきＶＩＰの位置情報を正確に把握できることで、
警備の集中化を実現し、警備の質を向上できることを特徴とする警備システムにおける非接触ＩＣカードを用いた施設アクセス自動管理システム。
【発明の詳細な説明】
【技術分野】
【０００１】  本発明は、非接触ＩＣカードを用いた施設アクセス自動管理システムであって、特定領域内にＩＣカード認識装置を配することで、会社における社員の移動範囲を限定するための管理や、会社における情報のセキュリティを保持するため、アクセスできる情報や、利用できる端末装置の限定するための用途に使用可能である。また、遊園地など特定の領域における来客者の管理などにも適用可能であると共に、迎賓館などＶＩＰを向かえ警備する必要のある施設内でもセキュリティ管理のために利用することが可能な非接触ＩＣカードを用いた施設アクセス自動管理システムである。
【背景技術】
【０００２】  従来の非接触型ＩＣカードシステムは、ＩＣカードをＩＣカード認識装置に対して直接刺し組むことでデータ通信するものが一般的であった。また近年では、数センチの至近距離にて、ＩＣカードとＩＣカード認識装置間でデータ通信する非接触型のものが製品化されている。また最近では、数十メートルの範囲でＩＣカードとＩＣカード認識装置間でデータ通信するものも実用化されている。【０００３】  ＩＣカードをＩＣカード認識装置に対して直接刺し組むことでデータ通信するものは、銀行におけるキャッシュディスペンサーにおけるキャッシュカードや、クレジットカードとクレジットカード読取装置など、もはや今日の生活において必要不可欠なものである。【０００４】  しかし、ＩＣカードをＩＣカード認識装置に対して直接刺し組むことでデータ通信する接触型のＩＣカードシステムでは、使い勝手の面で不自由が多いため、数センチの至近距離にてＩＣカードとＩＣカード認識装置間でデータ通信する非接触型のＩＣカードシステムが実用化されている。この接触型のＩＣカードシステムは鉄道における改札にて乗降客の管理などに既に適用されている。【０００５】  更に近年では、接触型のＩＣカードシステムを企業などのセキュリティシステムとして実用化されており、会社への入出や、会社内における入出できる部屋の管理などに用いられている。また、会社への入出をＩＣカードにより管理する場合、出社時間と退社時間を取得することが可能となるため、勤怠管理にも利用されるなど、その利用方法は徐々に広まりつつあるのが実情である。
【発明の開示】
【発明が解決しようとする課題】
【０００６】  しかし、接触型のＩＣカードシステムの利用は、まだまだ数センチの至近距離にてＩＣカードとＩＣカード認識装置間でデータ通信するものが、【０００４】や【０００５】に示すように利用されているだけであり、数十メールの距離でデータ通信するＩＣカードとＩＣカード認識装置は、技術的には実用化可能ではあるがその利用方法については、未知数な部分が多い。【０００７】  この１つの要因としては、数十メールの距離でデータ通信するＩＣカードとＩＣカード認識装置の製造コストがまだまだ高価な事に起因している点が多いと言われている。しかし、ここの人にも持たせるＩＣカードは現状の数センチの至近距離でデータ通信するものと、ほとんど変更しなくとも、ＩＣカード認識装置の通信精度を向上させれば技術的には実現可能である。１つのＩＣカードシステムにおいてＩＣカードとは比較にならない数であるため、ＩＣカードシステム全体のコストで見れば、現状の数センチの至近距離にてデータ通信するＩＣカードシステムと比較しても、大きな差がないコストで数十メートルの距離でデータ通信するＩＣカードシステムは十分実現可能である。更には、今後の技術革新に伴うコストダウンや、利用方法の提案・実現による大量生産効果によるコストダウンも十分可能である。【０００８】  数センチの至近距離にてＩＣカードとＩＣカード認識装置間でデータ通信するＩＣカードシステムは【０００５】に示すとおり、会社内においては徐々に浸透しつつあるが、データ通信可能な距離が数センチと短いため、例えば特定のコンピュータの利用制限をこのＩＣカードシステムで行おうとした場合、コンピュータの利用開始時にＩＣカードをコンピュータ端末に認識させるなどの手段しか用いられなかった。そのため、利用権限者がトイレなどで席を立った場合に、利用できない人がその端末を利用し、不正にコンピュータを利用するということもあった。【０００９】  これまで、携帯電話などの携帯情報端末や、コンピュータのおけるＰＣＭＣＩＡカードなど常に携帯できるサイズの物品では、ＧＰＳシステムを用いて位置情報を確定する技術は、実用化されていた。しかし、その位置の誤差は、１０メートルを超える場合もあり、遊園地などの施設における来園者が、とあるアトラクション施設に入場のため並んでいるかなどの詳細な位置情報の把握は不可能であった。【００１０】  また、警備における警備対象者の位置確定などにおいては、不十分な精度でしかなかった。また、ＧＰＳシステムは衛星からの電波の送受信により位置情報を把握するものであり、その電波は当該特定の領域外でも不正入手することは理論的かつ物理的に可能なため、特に警備システムにおいては利用上の欠点となるという問題点があった。
【課題を解決するための手段】
【００１１】  上記課題を解決するために、本発明では、非接触ＩＣカードを用いた施設アクセス自動管理システムに係わる第１の手段として、特定の周波数と電波強度のもとで情報の受信および送信の通信を行うことのできる非接触通信手段と、非接触通信手段にて受信した情報や、あらかじめ記憶させようとする情報を記憶できる情報記憶手段と、非接触通信手段で受信した情報を解読できる情報解読手段と、情報解読手段で解読した情報に制御命令が含まれていた場合、情報記憶手段で記憶している情報と受信情報とを活用し照合や、処理、送信などの制御を実行できる情報処理手段を有することを特徴とするＩＣカードシステムを採用する。【００１２】  非接触ＩＣカードを用いた施設アクセス自動管理システムに係わる第２の手段として、上記第１の手段に示すＩＣカードシステムに加え、情報表示手段を有することで、情報処理手段で制御した結果を、ＩＣカード上に表示することを可能とし、ＩＣカード保有者に情報を提示できることを特徴とする表示機能付ＩＣカードシステムを採用する。【００１３】  非接触ＩＣカードを用いた施設アクセス自動管理システムに係わる第３の手段として、上記第１の手段および上記第２の手段に示すに示すＩＣカードシステムとの情報送信や、情報受信などの通信ができることを特徴するＩＣカード認識装置と、複数のＩＣカード認識装置間を接続する認識装置間ネットワークと、認識装置間ネットワークに接続された個々のＩＣカード認識装置に対して、特定のＩＣカードシステムに対して照合や、処理、通信などの制御を実行させる指令を出すことができるサーバを有し、認識装置間ネットワーク全体を制御することを可能とする認識装置制御システムを採用する。【００１４】  非接触ＩＣカードを用いた施設アクセス自動管理システムに係わる第４の手段として、特定の施設内などの固有の特定領域において、上記第１の手段または上記第２の手段に示すＩＣカードシステムを特定領域に入る人に持たせると共に、上記第３の手段に示す認識装置制御システム中のＩＣカード認識装置を特定領域内にメッシュ上に配置することで、ＩＣカードシステムを社員の現存位置を認識装置制御システムで認識できることを特徴とする領域内における人員位置取得システムを採用する。【００１５】  非接触ＩＣカードを用いた施設アクセス自動管理システムに係わる第５の手段として、個別の会社や役所などの特定領域において、上記第１の手段または上記第２の手段に示すＩＣカードシステムを特定領域に入る社員に持たせると共に、上記第３の手段に示す認識装置制御システム中のＩＣカード認識装置を各部屋やゲートなどに設けることで、個々の社員が立ち入ることのできる領域を特定させると共に、上記第３の手段に示す認識装置制御システム中のＩＣカード認識装置をコンピュータなどの設備に設けることで、個々の社員がアクセスできる情報を制御すると共に、上記第４の手段に示す特定領域内の人員位置取得システムを活用することで、特定領域内で社員の現在の位置情報をつかむことができることで社員などの人員管理を行えることを特徴とする会社などにおける非接触ＩＣカードを用いた施設アクセス自動管理システムを採用する。【００１６】  非接触ＩＣカードを用いた施設アクセス自動管理システムに係わる第６の手段として、遊園地などにおいて、上記第１の手段または上記第２の手段に示すＩＣカードシステムを遊園地への来場者に持たせると共に、上記第３の手段に示す認識装置制御システム中のＩＣカード認識装置を各設備のゲート付近に配置することで、来場者の利用できる設備か否かを自動で判別するサービスを提供できると共に、上記第４の手段に示す特定領域内の人員位置取得システムを活用することで、迷子が出た場合、迷子になった子供の位置を取得し、素早く探し出せるサービスを提供できると共に、ＩＣカードシステム中に身体障害者やＶＩＰ顧客であるという情報を入園時に登録しておけば、当該来園者が設備利用時に事前に特定サービスを受けられるように係員への指令を素早く伝達することが可能となる遊園地内における非接触ＩＣカードを用いた施設アクセス自動管理システムを採用する。【００１７】  非接触ＩＣカードを用いた施設アクセス自動管理システムに係わる第７の手段として、ＶＩＰの警備などを行う必要のある迎賓館などにおいて、上記第１の手段または上記第２の手段に示すＩＣカードシステムを迎賓館内へ来場したＶＩＰの人に持たせると共に、上記第４の手段に示す特定領域内の人員位置取得システムを活用することで、守るべきＶＩＰの位置情報を正確に把握できることで、警備の集中化を実現し、警備の質を向上できることを特徴とする警備システムにおける非接触ＩＣカードを用いた施設アクセス自動管理システムを採用する。
【発明を実施するための最良の形態】
【００１８】  本発明に係わる非接触ＩＣカードを用いた施設アクセス自動管理システムに係わる第１の手段および第３の手段に示す事項は、既に数センチの距離にて通信機能を有するＩＣカードとＩＣカード認識装置を用いたＩＣカードシステムは実用化されており、このＩＣカードシステム中のＩＣカードの通信出力の改変や、ＩＣカード認識装置の通信精度の向上などの多少の改良にて機器の実現は可能である。また、【００１９】  本発明に係わる非接触ＩＣカードを用いた施設アクセス自動管理システムに係わる第２の手段は、既存のＩＣカードに表示機能を設けるだけであり、カード型電卓や、コンピュータにおけるＰＣＭＣＩＡカードなので実用化されている液晶表示部品を用いれば容易に実現可能である。【００２０】  本発明に係わる非接触ＩＣカードを用いた施設アクセス自動管理システムに係わる第４の手段は、ＩＣカード認識装置を等間隔で配置することで、どのＩＣカード認識装置が当該ＩＣカードと通信可能かという情報を制御サーバで分析すれば、容易に実現可能である。【００２１】  本発明に係わる非接触ＩＣカードを用いた施設アクセス自動管理システムに係わる第５の手段から第７の手段に示すサービスは、提供するサービスによりＩＣカード認識装置の設定を行うことで通信可能な距離を制御することで、同一のＩＣカードにて様々なサービスを提供可能である。
【実施例】
【００２２】  以下、図面を参照して、本発明に係わる本発明に係わる非接触ＩＣカードを用いた施設アクセス自動管理システムの実施例を説明する。【００２３】    図１は、ＩＣカード１と、ＩＣカード制御システム２の校正を示した図である。ＩＣカード１内には、ＩＣカード制御システム２内のＩＣカード認識装置２１と通信を行うための非接触通信手段１１、非接触通信手段１１から読み込んだ情報を解読する情報解読手段１２、情報解読手段１２が解読した受信情報やあらかじめＩＣカード１に記憶させておく情報を記憶保持する情報記憶手段１３、情報解読手段１２からの情報や情報記憶手段１３に記憶させた情報から何らかの制御を行うため情報を処理する情報処理手段１４、情報処理手段１４が処理した情報を元にＩＣカード１を保有している人に情報を伝えるため情報を表示する情報表示手段１５から構成される。【００２４】  ＩＣカード制御システム２は、ＩＣカード１との通信を行うＩＣカード認識装置２１を、管理すべき特定領域内に複数配置し、それらを制御サーバ２２とネットワーク接続した構成となる。ＩＣカード認識装置２１は、簡単なサービスの提供においては個々に制御を行うことのできる機能を付加させることも可能である。また、提供するサービスによって、ＩＣカード１との通信距離を設定する機能もしくは、通信距離の設定はできなくとも、個々のＩＣカード認識装置２１で同一距離での通信距離ではなく、提供するサービスごとに通信距離の異なるＩＣカード認識装置２１を配置することで、ＩＣカード制御システム２を構築してもよい。【００２５】  例えば、会社や役所などの特定領域においては、個々の社員が立ち入ることのできる部屋の管理においては、数センチの至近距離で通信可能なＩＣカード認識装置２１を各部屋の入口付近にゲートなどに設け、ＩＣカード所持者がＩＣカード認識装置２１にＩＣカード１を翳すことで、その部屋の鍵が開くという方式で管理されているのが一般的であった。【００２６】  しかし、この方法では当該部屋のへ立ち入る際には、ＩＣカード１をＩＣカード認識装置２１に翳すためにＩＣカード認識装置２１の至近距離までＩＣカードを移動させねばならないため、部屋へ入るたびにいちいち面倒な作業が必要であった。【００２７】  更には、ＩＣカード認識装置２１にＩＣカード１を翳すことで当該部屋の鍵を開けるという制御のため、当該部屋への入出を許可されたものが一人でも居れば、鍵を開けることが可能であり、不心得者で本来その部屋に入出できないものを導くことも可能であると共に、多数の人間が当該部屋の前で待っている場合、その中に当該部屋への入出が許可されてないものが含まれていても識別できないと言う問題点があった。【００２８】  しかし、本発明に係わる非接触ＩＣカードを用いた施設アクセス自動管理システムを図２に示すように部屋のドア上部に設置し入口周辺にＩＣカード１を所持した人が居るかを検出するように用いれば、セキュリティで管理でも入室が許可されている人は、鍵など無いようにスムースに入出できるよう管理ができる。また、セキュリティで管理されている部屋の前に多くのＩＣカード１所持者がいる場合、その人の中で当該部屋への入出が禁止されている人がいる��合、部屋を空けないような制御も可能であるため、より厳密なセキュリティ管理が可能となる。【００２９】  更には、図３に示すようにセキュリティで管理されている部屋の前に多くの人が居て、ＩＣカード１すら所持していない人がいる場合、本発明に係わる非接触ＩＣカード１を用いた施設アクセス自動管理システムと、赤外線体温センサーなど特定領域内に居る人の人数を識別できる装置と組み合わせて使用すれば、ＩＣカードを所持しない人も認識できるため、セキュリティで管理されている部屋の前に多くの人が居ても、その全ての人が入出可能な場合にのみドアの鍵を開けるなど、高度なセキュリティ管理が可能となる。【００３０】  会社において利用できるコンピュータやアクセスできるデータの管理を行う場合、図３に示すようにコンピュータの近隣に１−２メートルの距離で通信できるよう設定したＩＣカード認識装置２１を配置すれば、当該コンピュータの利用を許可され、その旨登録されたＩＣカードた人がコンピュータに向かい合っている場合にのみ、コンピュータを使用できるように管理することが可能となる。これにより、これまでＩＤとパスワードによるコンピュータのセキュリティ管理の最大の欠点であった正規の利用者がトイレなどで一時的にコンピュータの前を離れた場合にも対処可能となる。【００３１】  本発明に係わる非接触ＩＣカードを用いた施設アクセス自動管理システムは、遊園地などの来園者の管理にも適用可能である。遊園地の来園者に対して入園時にチケットとしてＩＣカード１を持ってもらうようにする。チケットとして配布するＩＣカード１には、来園者が購入した園内の利用できるアトラクションなどの施設情報や、来園者がＶＩＰなのか、身体的な障害を持つ人で何らかの援助作業を要する人なのか、要する人の場合はどの程度の援助が必要なのかなどの情報を、あらかじめＩＣカード１に入力しておく。これにより当該来園者が園内で何が出来るのか、どの程度の援助が必要なのかという情報をＩＣカード１によって一元管理することが可能となる。【００３２】  その後、ＩＣカードを持った来園者が、図４に示すように、利用したいアトラクション３に並んだ際など、図４に示すようにＩＣカード認識装置２１をアトラクション利用者の待合列の領域を全て認識できるように配置しておけば、列に並んでいる人が当該アトラクション３を利用できる人なのか、はたまたＶＩＰや身体的な障害を有する人で援助が必要なのかなどの情報を瞬時に得ることが出来るため、遊園地の従業員は、アトラクション利用者の待合列に並んだ来園者に対して適切なサービスを提供できる。【００３３】  また、園内にＩＣカード認識装置２１をメッシュ上に等間隔に配置すれば来園者個々の位置情報を常に把握することが可能となる。これにより来園者の迷子などにも迅速に対応することが可能となる。【００３４】  本発明に係わる非接触ＩＣカードを用いた施設アクセス自動管理システムは、ＶＩＰの警備などを行う必要のある迎賓館などの施設でも適用可能である。ＶＩＰなどの警護では、対象となるＶＩＰの位置情報を正確に把握しておくことは必要条件となる。位置情報取得には衛星を利用するＧＰＳシステムが一般的であるが、これには１０メートル以上の誤��が出たり、衛星を用いるためＶＩＰの位置情報を、部外者の人から不正に察知される可能性があるため利用できない。しかし、ＩＣカード認識装置２１を【００３３】に示すように、迎賓館などの施設内にメッシュ上に配置すると共に、ＶＩＰにＩＣカード１を常に保持させれば、ＶＩＰの位置を正確に把握できると共に、部外者からＶＩＰの位置を察知される可能性もない。【００３５】  さらに、迎賓館などの施設内に入っている全ての人にＩＣカードを持たせれば、ＶＩＰに近づく人を察知でき、よりセキュリティ向上した保安システムを実現することが可能である。【００３６】  その上、赤外線センサーなど、人の存在を検地できるシステムと平行で用いれば、ＩＣカード１を所持しない人が迎賓館などの施設内にいるか、ということも把握でき、よりセキュリティ向上した保安システムを実現することが可能である。
【産業上の利用可能性】
【００３７】  以上のように、本発明に係わる非接触ＩＣカードを用いた施設アクセス自動管理システムを用いれば、会社でのセキュリティシステム、遊園地での来園者管理システム、迎賓館などにおけるセキュリティシステムなど、特定の領域内で様々なサービスを提供が可能となる。
【図面の簡単な説明】
【００３８】
【図１】  本発明の非接触ＩＣカードを用いた施設アクセス自動管理システムの概略システムの構成を示した図である。
【図２】  本発明の非接触ＩＣカードを用いた施設アクセス自動管理システムを会社などの入出チェックシステムに適用した場合のイメージ図である。
【図３】  本発明の非接触ＩＣカードを用いた施設アクセス自動管理システムをコンピュータシステムの利用およびアクセスチェックシステムに適用した場合のイメージ図である。
【図４】  本発明の非接触ＩＣカードを用いた施設アクセス自動管理システムを遊園地などにおける来園者管理システムに適用した場合のイメージ図である。
【符号の説明】
【００３３】１      ＩＣカード
１１    非接触通信手段
１２    情報解読手段
１３    情報記憶手段
１４    情報処理手段
１５    情報表示手段
２      ＩＣカード制御システム２
２１    ＩＣカード認識手段
２２    制御サーバ
３      アトラクション
【図１】
2006228175.tif 000003
【図２】
2006228175.tif 000004
【図３】
2006228175.tif 000005
【図４】
2006228175.tif 000006